(57)【要約】      （修正有）【課題】輸送機器において使用されるデュアルモード熱管理システムを提供する。【解決手段】最低限、システムはバッテリシステムと熱交換を行う第１冷却材ループと、少なくとも１つのドライブ・トレイン・コンポーネント（例えば、電気モータ、電源電子回路装置、インバータ）と熱交換を行う第２冷却材ループと、２つの冷却材ループが並列に作動される第１モードと２つの冷却材ループが直列に作動される第２モードの間でモードの選択を行う手段を提供するデュアルモード・バルブ・システムとを備える。【選択図】なし【特許請求の範囲】
【請求項１】
バッテリシステムと熱交換を行う第１冷却材ループと、
少なくとも１つのドライブ・トレイン・コンポーネントと熱交換を行う第２冷却材ループと、
デュアルモード・バルブ・システムとを備え、
前記第１冷却材ループが冷却材を前記第１冷却材ループ内で循環させる第１循環ポンプを備え、前記第１冷却材ループが第１冷却材リザーバをさらに備え、
前記第２冷却材ループが前記冷却材を前記第２冷却材ループ内で循環させる第２循環ポンプを備え、前記第２冷却材ループが第２冷却材リザーバをさらに備え、前記冷却材が前記第１および第２冷却材リザーバ間を流通可能であり、
前記第１冷却材ループは、前記バルブ・システムが第１モードとされるときに前記第２冷却材ループと並列にかつ独立して作動されるとともに、前記第１冷却材ループは、前記バルブ・システムが第２モードとされるときに前記第２冷却材ループと直列に連結される
ことを特徴とするデュアルモード輸送機器熱管理システム。
【請求項２】
前記デュアルモード・バルブ・システムが４方弁で構成され、前記第１モードにおける前記４方弁は第１バルブインレットを第１バルブアウトレットに連結するとともに第２バルブインレットを第２バルブアウトレットに連結し、前記第２モードにおける前記４方弁は前記第１バルブインレットを前記第２バルブアウトレットに連結するとともに前記第２バルブインレットを前記第１バルブアウトレットに連結することを特徴とする請求項１に記載のデュアルモード輸送機器熱管理システム。
【請求項３】
前記デュアルモード・バルブ・システムが４方弁で構成され、前記第１モードにおける前記４方弁は前記第１冷却材ループの第１部分を前記第１冷却材ループの第２部分に連結するとともに前記第２冷却材ループの第１部分を第２冷却材ループの第２部分に連結し、前記第２モードにおける前記４方弁は前記第１冷却材ループの前記第１部分を前記第２冷却材ループの前記第２部分に連結するとともに前記第２冷却材ループの第１部分を前記第１冷却材ループの前記第２部分に連結することを特徴とする請求項１に記載のデュアルモード輸送機器熱管理システム。
【請求項４】
前記デュアルモード・バルブ・システムが３方弁と第２の３方弁で構成され、前記デュアルモード・バルブ・システムが前記第１モードとされるとき前記第１の３方弁が前記第１冷却材ループの第１部分を前記第１冷却材ループの第２部分に連結し、前記デュアルモード・バルブ・システムが前記第１モードとされるとき前記第２の３方弁が前記第２冷却材ループの第１部分を前記第２冷却材ループの第２部分に連結し、前記デュアルモード・バルブ・システムが前記第２モードとされるとき前記第１の３方弁が前記第１冷却材ループの第１部分を前記第２冷却材ループの第２部分に連結し、前記デュアルモード・バルブ・システムが前記第２モードとされるとき前記第２の３方弁が前記第２冷却材ループの第１部分を前記第１冷却材ループの第２部分に連結することを特徴とする請求項１に記載のデュアルモード輸送機器熱管理システム。
【請求項５】
前記第１および第２冷却材リザーバが、単一の冷却材リザーバの第１の第１および第２チャンバであることを特徴とする請求項１〜４の何れか一項に記載のデュアルモード輸送機器熱管理システム。
【請求項６】
前記第１冷却材ループと熱交換器により熱交換する冷房・冷凍サブシステムを更に備えることを特徴とする請求項１〜５の何れか一項に記載のデュアルモード輸送機器熱管理システム。
【請求項７】
前記第１冷却材ループがさらにヒータを備えることを特徴とする請求項１〜６の何れか一項に記載のデュアルモード輸送機器熱管理システム。
【請求項８】
前記第２冷却材ループがバイパスバルブをさらに備え、第１ポジションにある前記バイパスバルブが前記第２冷却材ループをラジエータに連結し、第２ポジションにある前記バイパスバルブが前記ラジエータを前記第２冷却材ループから切り離すことを特徴とする請求項１〜７の何れか一項に記載のデュアルモード輸送機器熱管理システム。
【請求項９】
ドライブトレイン冷却材ループとバッテリシステム冷却材ループを通して冷却材を循環させる第１モードおよび第２モードの間でモードを選択するステップを備え、
前記第１モードでは、前記ドライブトレイン冷却材ループが少なくとも１つのドライブ・トレイン・コンポーネントと熱交換を行うとともに前記ドライブトレイン冷却材ループを通して前記冷却材を循環するステップと、前記バッテリシステム冷却材ループがバッテリシステムと熱交換を行うとともに前記バッテリシステム冷却材ループを通して前記冷却材を循環するステップとを備え、前記バッテリシステム冷却材ループを通して前記冷却材を循環するステップが、前記ドライブトレイン冷却材ループを通して前記冷却材を循環するステップと並列に実行され、
前記第２モードでは、前記ドライブトレイン冷却材ループと前記バッテリシステム冷却材ループを通して前記冷却材を直列に循環するステップを備える
ことを特徴とする電動輸送機器内の熱負荷管理方法。
【請求項１０】
前記第１モードでは、前記ドライブトレイン冷却材ループの第１部分を前記ドライブトレイン冷却材ループの第２部分に連結するステップと、前記バッテリシステム冷却材ループの第１部分を前記バッテリシステム冷却材ループの第２部分に連結するステップを備え、前記第２モードでは、前記ドライブトレイン冷却材ループの第１部分を前記バッテリシステム冷却材ループの第２部分に連結するステップと、前記バッテリシステム冷却材ループの第１部分を前記ドライブトレイン冷却材ループの第２部分に連結するステップとを備えることを特徴とする請求項９に記載の方法。
【請求項１１】
前記選択を行うステップが、４方弁を前記第１モードに対応する第１ポジションと前記第２モードに対応する第２ポジションの何れかに設定するステップをさらに備えることを特徴とする請求項１０に記載の方法。
【請求項１２】
前記第１モードでは、第１の３方弁を第１ポジションに設定するステップと、第２の３方弁を第１ポジションに設定するステップとを備え、前記第２モードでは、前記第１の３方弁を第２ポジションに設定するステップと、前記第２の３方弁を第２ポジションに設定するステップとを備えることを特徴とする請求項１０に記載の方法。
【請求項１３】
熱交換器を介して前記バッテリシステム冷却材ループを冷房・冷凍サブシステムに熱連結するステップを備え、前記バッテリシステム冷却材ループを前記冷房・冷凍サブシステムに熱連結する前記ステップが、付加的なバッテリシステムの冷却が望まれるときに実行されることを特徴とする請求項９〜１２の何れか一項に記載の方法。
【請求項１４】
前記バッテリシステム冷却材ループをヒータに熱連結するステップを備え、前記バッテリシステム冷却材ループを前記ヒータに熱連結する前記ステップが、付加的なバッテリシステムの加熱が望まれるときに実行されることを特徴とする請求項９〜１３の何れか一項に記載の方法。
【請求項１５】
バイパスバルブを用いて前記ドライブトレイン冷却材ループをラジエータに連結するステップを備え、前記連結ステップが、付加的なドライブトレインの冷却が望まれるときに実行されることを特徴とする請求項９〜１４の何れか一項に記載の方法。
【発明の詳細な説明】
【技術分野】
【０００１】
本発明は広くは熱制御システムに関し、より詳しくは、外部条件およびコンポーネント動作特性に依存する熱およびパフォーマンスの最適化を可能にする輸送機器用熱管理構造に関する。
【背景技術】
【０００２】
世の中の乗り物(vehicles)の大部分はガソリンを使用した内燃機関で動く。そのような乗り物の利用、より詳細には化石燃料、すなわちガソリンに依存する乗り物の利用は２つの問題を引き起こす。第１に、そのような燃料は有限であり、かつ限られた地域でしか入手できないことから、大きな価格変動があるとともにガソリン価格は全体として値上がり傾向にあるのが一般的で、両者は消費者レベルに甚大な影響を与える可能性がある。第２に、化石燃料の燃焼は、二酸化炭素、温室効果ガスの主たる発生源の１つであり、地球温暖化の主要な原因の１つである。したがって、個人および商用車で使用される代替的動力システムを見出すことに多大な努力が費やされている。
【０００３】
電気輸送機器(electric vehicles)は、内燃ドライブトレインを利用する輸送機器にとっての最も有望な代替物の１つを提供する。「ユーザーフレンドリー」な乗り物でありながらも効率的な電気ドライブトレインを設計するときに発生する主な問題の１つは熱管理であり、これはバッテリセルに要求される動作条件と、乗客用キャビン内において要求に応じて暖房および冷房を提供しなければならないことに主に起因する。そのため多くの電気およびハイブリッド輸送機器で使用される熱管理システムの能力には限界があり、かつ／または、過度に複雑である。例えば、初期の電気輸送機器は、よくマルチ独立熱管理サブシステムを使用した。このようなアプローチは、各サブシステムがそれ独自のコンポーネント（例えば、ポンプ、バルブ、冷房システムなど）を必要とするため本質的に非効率的である。
【０００４】
独立した熱サブシステムの使用に関連するいくつかの問題を克服するために、米国特許第６，３６０，８３５号明細書、および関連する米国特許第６，３９４，２０７号明細書には、同じ熱伝達媒体を共用するマルチ熱伝達回路を利用する熱管理システムが開示される。熱伝達回路は相互に流体的に連通されており、高温回路から低温回路へと高温の熱伝達媒体を流通させるとともに低温の熱伝達媒体を低温回路から高温回路へと流通させる。このシステムは、従来のシステムにおける限界のいくつかは克服するが、２つの熱伝達回路の干渉により依然やや複雑である。
【０００５】
同時係属中の米国特許出願第１１／７８６，１０８号明細書に開示される別の熱制御システムでは、マルチ冷却ループと単独の熱交換器を利用する効率的な冷却システムが開示されている。開示された少なくとも１つの実施形態の冷却ループには、バッテリシステムと協働する冷却ループ、ＨＶＡＣシステムと協働する冷却ループ、そして駆動システム（例えばモータ）と協働する冷却システムが含まれる。
【０００６】
上記従来技術は、電動輸送機器のモータおよび／またはバッテリを冷却するための多数の技術を開示し、ある状況では、そのような冷却を輸送機器の乗客用コンパートメントのＨＶＡＣシステムと連携させているが、システムの簡略化およびシステム効率の向上がさらに望まれる。本発明はそのような熱管理システムを提供する。
【発明の概要】
【発明が解決しようとする課題】
【０００７】
本発明は、輸送機器（例えば電気輸送機器）において使用されるデュアルモード熱管理システムを提供する。最低限システムは、バッテリと熱交換を行う第１冷却材ループと、少なくとも１つのドライブ・トレイン・コンポーネント（例えば、電気モータ、電源電子回路装置、インバータ）と熱交換を行う第２冷却材ループと、２つの冷却材ループが並列に作動される第１モードと２つの冷却材ループが直列に作動される第２モードの間でモードの選択を行う手段を提供するデュアルモード・バルブ・システムとを備える。デュアルモード・バルブ・システムは、例えば、１つのモードでバルブインレットＡがバルブアウトレットＡに連結されるとともにバルブインレットＢがバルブアウトレットＢに連結され、第２モードでバルブインレットＡがバルブアウトレットＢに連結されるとともにバルブインレットＢがバルブアウトレットＡに連結されるように構成された４方弁からなる。デュアルモード・バルブ・システムは、例えば、１つのモードで第１冷却材ループの第１部分が第１冷却材ループの第２部分に連結されるとともに、第２冷却材ループの第１部分が第２冷却材ループの第２部分に連結され、第２モードで第１冷却材ループの第１部分が第２冷却材ループの第２部分に連結されるとともに、第２冷却材ループの第１部分が第１冷却材ループの第２部分に連結されるように構成された４方弁からなる。デュアルモード・バルブ・システムは、例えば、デュアルモード・バルブ・システムが第１モードとされるとき、第１の３方弁が第１冷却材ループの第１部分を第１冷却材ループの第２部分に連結し；デュアルモード・バルブ・システムが第１モードとされるとき、第２の３方弁が第２冷却材ループの第１部分を第２冷却材ループの第２部分に連結し；デュアルモード・バルブ・システムが第２モードとされるとき、第１の３方弁が第１冷却材ループの第１部分を第２冷却材ループの第２部分に連結し；デュアルモード・バルブ・システムが第２モードとされるとき、第２の３方弁が第２冷却材ループの第１部分を第１冷却材ループの第２部分に連結するように構成された一対の３方弁からなる。システムは、例えば熱交換器を用いて第１冷却材ループと熱交換を行う冷房・冷凍サブシステムを備えてもよく、冷房・冷凍サブシステムには例えば冷媒、コンプレッサ、コンデンサ、感熱膨張弁が含まれる。システムは、第１冷却材ループと熱交換を行うヒータを備えてもよい。システムは、例えば第２冷却材ループと熱交換を行う充電器を備えてもよい。第２冷却材ループは、例えばバイパスバルブを用いて第２冷却材ループに連結されるラジエータを備え、バイパスバルブは、第２冷却材ループをラジエータに連結、あるいはラジエータから切り離すことを可能にする。システムはさらに、熱交換器を介して第１冷却材ループと熱交換可能とされた冷房・冷凍サブシステムを備えてもよく、キャビンＨＶＡＣシステムは冷房・冷凍サブシステムに連結可能である。
【０００８】
本発明の別の観点からは、電気輸送機器内の熱負荷管理方法が提供され、この方法は、ドライブトレイン冷却材ループとバッテリシステム冷却材ループを通して冷却材を循環させる第１モードおよび第２モードの間でモードを選択するステップを備え、第１モードでは冷却材がドライブトレイン冷却材ループおよびバッテリシステム冷却材ループを通して並列に循環され、第２モードでは冷却材が直列にドライブトレイン冷却材ループおよびバッテリシステム冷却材ループを通して循環される。第１モードにおいて、この方法は、例えばドライブトレイン冷却材ループの第１部分をドライブトレイン冷却材ループの第２部分に連結するステップと、バッテリ冷却材ループの第１部分をバッテリ冷却材ループの第２部分に連結するステップとを備え、第２モードにおいて、この方法はさらに、例えばドライブトレイン冷却材ループの第１部分をバッテリ冷却材ループの第２部分に連結するステップと、バッテリ冷却材ループの第１部分をドライブトレイン冷却材ループの第２部分に連結するステップとを備える。モード選択ステップは、例えば４方弁または一対の３方弁を用いる。この方法はさらに、充電器をドライブトレイン冷却材ループに熱結合させるステップを備えてもよい。この方法はさらに、バッテリの付加的な冷却が必要なときに冷房・冷凍サブシステムをバッテリ冷却材ループに熱結合させるステップを備えてもよい。この方法はさらに、バッテリの付加的な加熱が必要なときにヒータをバッテリ冷却材ループに熱結合させるステップを備えてもよい。この方法はさらに、ドライブトレインの付加的な冷却が必要なときに、例えばバイパスバルブを用いて、ドライブトレイン冷却材ループをラジエータに結合するステップを備えてもよい。
【０００９】
本発明の本質および利点のさらなる理解は明細書の残りの部分と図面を参照することにより明白となるであろう。
【図面の簡単な説明】
【００１０】
【図１】本発明の熱管理システムで用いられる様々なサブシステムの上位概念図である。
【００１１】
【図２】ドライブトレインおよびバッテリサブシステムが並列に作動するときの熱管理システムの構成の好ましい実施形態を示す。
【００１２】
【図３】ドライブトレインおよびバッテリサブシステムが直列に作動するようにされた図２に示される実施形態を示す。
【００１３】
【図４】運転モード間の切替えを行う単独の４方弁の代わりに２台の３方弁を使用するように変更された図２に示される実施形態を示す。
【００１４】
【図５】運転モード間の切替えを行う単独の４方弁の代わりに２台の３方弁を使用するように変更された図３に示される実施形態を示す。
【発明を実施するための形態】
【００１５】
以下の文章では、用語「バッテリ」、「セル」、および「バッテリセル」は、交換可能に使用され、化学的性質および構成上、様々な異なるセルタイプの何れであってもよく、リチウムイオン(例えば、リン酸鉄リチウム、コバルト酸リチウム、他のリチウム金属酸化物（lithium metal oxidesなど）、リチウムイオンポリマー、ニッケル金属水素化物、ニッケルカドミウム、ニッケル水素、ニッケル亜鉛、銀亜鉛、または他のバッテリタイプ／構成が含まれるが、これに限定されるものではない。ここで使用される用語「バッテリパック」は、単独のピースまたは複数のピースからなるハウジング内に収められた多数の個別のバッテリのことであり、個々のバッテリは、特定のアプリケーションにおける所望の電圧および容量を得るために電気的に互いに接続される。用語「バッテリ」および「バッテリシステム」は、交換可能に使用され、ここでの使用においては、バッテリ、バッテリパック、キャパシタ、あるいはスーパーキャパシタなどの充電および放電可能な電気エネルギー貯蔵システムのことである。用語「冷房・冷凍(refrigeration)サブシステム」および「冷却(cooling)サブシステム」は、交換可能に使用され、他のシステムコンポーネントおよびサブシステムを冷却するのに使用され得る様々な異なる冷房・冷凍／冷却サブシステムの何れをも意味する。ここで使用される用語「電動輸送機器」は、ＥＶとも呼ばれる全電動輸送機器、ＰＨＥＶとも呼ばれるプラグインハイブリッド式輸送機器、あるいはハイブリッド輸送機器（ＨＥＶ）の何れかのことであり、ハイブリッド輸送機器は、その１つが電気駆動システムである多数の推進源を利用している。なお、多くの図面で使用される同一の要素符号は、同一の構成要素、または等しい機能を有する構成要素について言及するものである。更に、添付する図は、本発明の範囲を例示することを単に意図したもので、限定を意図したものではなく、一定の縮尺で描くことを意図したものと考えるべきではない。
【００１６】
図１は、一般的な電動輸送機器の熱管理システム１００の下に置かれる基本的なサブシステムを例示する上位概念図である。通常、このような輸送機器の熱管理システムには、冷房・冷凍サブシステム１０１、乗客用キャビンサブシステム１０３、ドライブ・トレイン・サブシステム１０５、そしてバッテリサブシステム１０７が含まれる。熱管理システム１００は、コントロールシステム１０９も含まれる。また、これら各々のサブシステムの詳細が以下に与えられ、その中のいくつかは、図２〜５に図示される典型的な実施形態に示されるであろう。
【００１７】
冷房・冷凍サブシステム１０１は、システム１００を構成する１以上の他の熱サブシステムに熱結合できるように設計され、熱結合されたサブシステムの温度を下げる必要がある、あるいは望ましいときに熱結合される。ここで冷却サブシステムとしても参照される冷房・冷凍サブシステム１０１は、冷媒（例えば、Ｒ１３４ａ）圧縮システム、熱電クーラーやその他の手段を利用してもよい。図２〜５に示される好ましい実施形態では、サブシステム１０１は、サブシステム内の低温の冷媒蒸気を高温蒸気へと圧縮するコンプレッサ２０１を備える。冷媒蒸気は、その後コンデンサ２０３を通過する際に取り込んだ熱の一部を散逸させ、それにより蒸気から液体への相変化がもたらされ、このとき液体は高温高圧に維持される。好ましくは、コンデンサ２０３の性能は送風機２０５を用いて高められる。液相の冷媒はその後レシーバドライヤ２０７を通り、凝縮された冷媒から水分が取り除かれる。好ましい実施形態では、図示されるように、冷媒ライン２０９は、感熱膨張弁２１３によりキャビン蒸発器２１１と連結されるとともに感熱膨張弁２１７により熱交換器２１５（ここではチラーとしても参照される）に連結される。感熱膨張弁２１３および２１７は、冷媒の蒸発器２１１およびチラー２１５への流入量をそれぞれ制御する。
【００１８】
暖房、換気、冷房（ＨＶＡＣ）サブシステム１０３は、一般には複数のダクトおよび通気孔を通じて輸送機器の乗客用キャビンの温度制御を提供する。好ましくは、ＨＶＡＣサブシステム１０３は、空気が暖められているか、冷やされているか、あるいは単に乗り物外部からの新鮮な空気であるかに関わらず、要求に応じてキャビン全体に空気を循環させるのに利用される１台以上のファン２１９を備える。冷気を提供するには、蒸発器２１１を通して冷媒が循環される。通常の輸送機器の運転において暖気を提供するのに、ＨＶＡＣサブシステム１０３は、例えば蒸発器２１１内に一体化されたＰＴＣヒータなどのヒータ２２１を利用するかもしれない。図示されないが、別の実施形態のＨＶＡＣサブシステム１０３では、ドライブ・トレイン・サブシステム１０５やバッテリサブシステム１０９からＨＶＡＣサブシステムへと熱エネルギーを移動するための熱交換器などの手段を備えてるかもしれない。
【００１９】
サブシステム１０５は、輸送機器の主走行モータである駆動モータ２２５の冷却に用いられる連続ドライブトレイン冷却ループ２２３から構成される。単独の駆動モータが図示されるが、本発明が適用されるＥＶは１以上の駆動モータ、例えば車軸毎、車輪毎などに駆動モータを採用するように設計されてもよい。冷却ループ２２３は、輸送機器の他の電子的なコンポーネント、例えばモータ２２５の電源電子装置モジュールおよびインバータ２２７にも熱的に連結されていることが好ましい。システムが例えば外部電源を用いて２次電池を充電するための充電器２２９を備えるときには、充電器も冷却ループ２２３に連結されていることが好ましい。また、充電器２２９は、バッテリシステム冷却ループに連結されていてもよい。少なくとも１つの実施形態では、システムの電子装置（例えば電源電子装置２２７）は、電子装置から冷却ループ内の液体冷却材（すなわち、熱伝達媒体）へと熱を移動するのに使用される冷板に据え付けられる。冷却ループ２２３は、冷却ループを通して冷却材を循環させるポンプ２３１、周囲の空気に熱を排出するためのラジエータ２３３、そして冷却材リザーバ２３５Ａを備える。システムはさらに、例えば輸送機器が動いていないときなど、必要なレベルの冷却を行うには不十分な空気しかラジエータを通らないときに、ラジエータ２３３に空気を強制的に通すファン２３７を備えることが好ましい。サブシステム１０５は、図示されるように、冷却材ループ２２３からのラジエータ２３３の切離しを可能にするバルブ２３９も備えることが好ましい。図２に示される典型的な実施形態では、バルブ２３９のポジションにより、ラジエータ２３３が冷却材ループ２２３に連結される。
【００２０】
バッテリサブシステム１０７は、冷却材（すなわち、熱伝達媒体）が入れられた冷却材ループ２４３に連結される１以上のバッテリ２４１を備える。一般的な電動輸送機器では、バッテリ２４１は複数のバッテリから構成される。１以上の循環ポンプ２４５が、バッテリ２４１を通して冷却材を、通常は伝熱板、あるいはバッテリと熱交換を行う１以上の冷却材導管（図示せず）により送り出す。専用の冷却サブシステムがサブシステム１０７とともに使用されてもよいが、温度自動調節弁２１７がサブシステム１０１から冷媒を熱交換器２１５に通していると仮定して、ループ２４３内の冷却材は熱交換器２１５内の冷媒との熱伝達を通して冷却されるのが好ましい。さらに、本発明の好ましい実施形態では、冷却ループ２４３は、ヒータ２４７（例えばＰＴＣヒータ）にも熱的に連結され、雰囲気温度に関わらずバッテリ２４１の温度をその推奨動作範囲(preferred operating range)内に維持できることを保証する。サブシステム１０７は、冷却材リザーバ２３５Ｂも備える。好ましくは、冷却材リザーバ２３５Ａ、２３５Ｂは、図示されるように単一のデュアル・ループ・リザーバとして統合される。
【００２１】
総じて言えば各々の熱管理サブシステムの動作を制御するために、より具体的には冷房・冷凍サブシステム１０１によって他のサブシステムに供給される冷却量を制御するために、コントロールシステム１０９で使用できる技術は多く存在する。通常コントロールシステム１０９は、輸送機器の様々なコンポーネント（例えばバッテリ２４１、モータ２２５、駆動電子装置２２７など）内、１以上の冷却材ループ（例えば冷却材ループ２２３など）内、そして乗客キャビン内の１箇所以上の場所における温度をモニタする複数の温度検知器（図示せず）を使用する。これら様々な場所でモニタされた温度は、コントロールシステム１０９によって個々別々の熱管理サブシステムの動作を特定するのに使用される。モニタされた温度と、キャビンおよび様々な輸送機器コンポーネントにおいて要求される温度範囲に応じて、各サブシステムで適用される加熱量および冷却量が、例えば、冷却材ループ内の流量弁（図示せず）、様々な循環ポンプ（例えばポンプ２３１、２４５）のポンプ速度、ヒータ（例えばヒータ２２１、２４７）の運転、そしてブロワファン（例えば、ファン２０５、２１９、２３７）の運転を通して調整される。コントロールシステム１０９は、プロセッサにより実行されるプログラムに基づいて自動的に作動してもよく、あるいはシステム１０９は手動制御されてもよく、あるいはシステム１０９は手動と自動制御の組合せを利用してもよい。
【００２２】
冷媒の流量制御、冷却材の流量制御、ヒータ、ファンなどの動作制御に加え、本発明は、熱管理システム全体の構成を迅速かつ簡単に置き換え、輸送機器のサブシステム間における熱エネルギーの制御と経路選択の異なる手段を提供する。その結果として、本発明の熱管理システムは、輸送機器コンポーネントの熱負荷や要求の変化に対しては無論のこと、環境条件（例えば空気温度、日射負荷(solar loading)の変化など）の変化に応じた緻密かつ柔軟な方法を提供する。ここで並列構成と呼ぶ図２に示される構成では、ドライブ・トレイン・サブシステム１０５は、バッテリサブシステム１０７とは独立して運転され、冷却材リザーバ２３５Ａ／Ｂのチャンバ同士を連絡するとともにチャンバ間で冷却材の液位を常時維持する小さな冷却材通路２５１を通じた最小限の熱交換のみを行う。なお、本発明の少なくとも１つの実施形態では、ドライブ・トレイン・サブシステム１０５とバッテリサブシステム１０７は、別々の冷却材リザーバを用いてもよい。
【００２３】
図３は、図２と同様に熱管理システム２００を示し、ドライブ・トレイン・サブシステム１０５とバッテリサブシステム１０７の直列運転を可能にするため再設定がなされたものである。システム２００では、この熱的構成の変更はバルブ２４９の向きを変えることで達成される。本発明のこの好ましい実施形態では、バルブ２４９は４方円筒状のバタフライバルブあるいはボールバルブである。
【００２４】
直列構成では、冷却材は初め駆動モータ２２５と付属電子装置（例えば駆動電子装置２２７、充電器２２９）に熱連結される冷却材ライン２２３を通してポンプにより送り出される。図３に示されるように、ドライブ・トレイン・コンポーネントを通り過ぎた後、バルブ２４９は冷却材ライン２２３を冷却材ライン２４３に連結し、それにより流れている冷却材は、図示するようにドライブ・トレイン・コンポーネントにより暖められた後、バッテリ２４１を通過する。
【００２５】
外部環境とともにコンポーネントの現在の動作特性にしたがって、バッテリとドライブ・トレイン・サブシステムを直列あるいは並列の何れかに設定できる機能は、輸送機器のサブシステムの熱的および性能上の最適化を可能にする。このような熱的および性能上の最適化により、効率は改善され、随伴する運転費用は節約される。
【００２６】
好ましくは、コントロールシステム１０９は、その全てがシステム１０９によりモニタされる輸送機器コンポーネントの動作特性と環境条件に基づいてバルブ２４９を自動制御するように構成されることが好ましい。サブシステム１０５と１０７を直列あるいは並列に作動させるかの判断は、機内エネルギーの使い方、システムの熱的応答、および運転性能動作条件を最適化するように行われる。直列および並列運転のいくつかの代表的な条件が以下に示される。
【００２７】
図３に示されるようなサブシステム１０５、１０７の直列的な運転は、いくつかの動作シナリオにおいてシステムの効率を向上する。例えば：
【００２８】
・輸送機器が冷えているとき、例えば一晩あるいは長時間車庫に止められていた後など、直列運転は、冷却材がバッテリシステムを通過する前にドライブ・トレイン・コンポーネントにより暖められるようにする。多くのエネルギー源、例えば２次電池には、推奨動作温度(preferred operating temperature)における最低値が有り、この構成はドライブ・トレイン・コンポーネントにより発生する熱でバッテリを暖めることを可能にする。本発明を利用する輸送機器の少なくとも１つの実施形態では、この方式での運転がヒータ２４７の削除を可能にし、それによりシステムの複雑さ、初期費用、運用費用を低減する。本発明を利用する輸送機器の少なくとも１つの実施形態では、この方式での運転がヒータ２４７の寸法と出力の低減を可能にし、それにより初期費用および運用費用を低減する。なお、この運転モードは、環境温度が低くバッテリを暖める必要があるとき、あるいは輸送機器が駐車されバッテリを暖める必要があるときに運転される際に使用されるであろう。このモードでは、冷却材の温度、すなわちシステムの効率は、冷却材がバッテリシステムを流れる前に、ラジエータ２３３を通過するか否かを選択するバルブ２３９を用いて調整されるであろう。雰囲気温度がドライブトレインの出口温度を超えるのであれば、加熱を増進するために付加的な外部空気の流れを与えるためファン２３７を使用してもよい。
【００２９】
・ある状況では、バッテリシステムを効率的に充電するには冷た過ぎる可能性がある。サブシステムを直列に動作させることで、充電器２２９で発生する排熱はバッテリパックを通って流れ、それによりバッテリを暖め、ヒータ２４７による付加的な加熱が殆どなくとも、それらが効率的に充電されることを可能にする。このアプローチの付加的な利益は、運転中に充電器２２９を冷却する必要性を除去し、あるいは少なくとも最小にすることである。好ましくは、このモードでは、充電器とバッテリがヒートアップするにしたがって、（必要であれば）冷却材をラジエータ２３３に通すことでそれらを冷却することができる。付加的な冷却を行うためにファン２３７を使用してもよい。
【００３０】
・雰囲気温度が比較的低い場合、サブシステムを直列的に運転することで、ドライブ・トレイン・コンポーネントとバッテリシステムの両者を、動作温度と輸送機器の速度に応じて、ファン２３７を作動させ、あるいは作動させずに、ラジエータ２３３のみを用いて冷却できる。その結果、バッテリ２４１は、冷却サブシステム１０１による冷却を必要としない。冷却サブシステムがこのときキャビンの冷房に必要でないと仮定すると、このモードの運転においてサブシステム１０１を作動させる必要性がなくなるので、さらに運転効率が向上する。なお、必要な場合には、熱交換器２１５を介して冷却サブシステム１０１により冷却材の冷却が増大されるであろう。
【００３１】
・雰囲気温度が極めて高いとき、あるいはもし１以上の輸送機器コンポーネントがそれに要求される動作温度よりも高いとき、直列運転は熱交換器２１５を介してドライブトレイン冷却材ループ２２３を冷却サブシステム１０１へ連結する簡便な方法を提供する。図３に示されるように、この運転モードでは、ループ２２３内の冷却材は、冷房・冷凍サブシステム１０１によってラジエータ２３３のみで達成される温度よりも低温に冷却されてもよく、外部環境から冷却された冷却材に不要な熱が加えられることを防止するため、ラジエータ２３３はバルブ２３９を用いてバイパスされてもよい。付加的に、冷房・冷凍サブシステム１０１の運転なしでも、ドライブ・トレイン・コンポーネントは、主にバッテリ２４１を熱キャパシタとして利用し、ドライブトレインの余分な熱がバッテリ２４１に放出されるようにすることでこの構成においても役立つ。
【００３２】
図２はサブシステム１０５と１０７を作動する並列的な構成を示す。少ない代表例としての運転シナリオには以下のものが含まれる：
【００３３】
・並列的な構成は、ドライブトレインとバッテリサブシステムに亘る独立した温度制御を可能にし、各サブシステムがその許容温度範囲内で運転され、かつ輸送機器の最小消費で運転されることを可能にする。したがって、バッテリ２４１は、冷房・冷凍サブシステム１０１および熱交換器２１５の利用を通じて、あるいはヒータ２４７により暖められることで要求量に応じて冷却されるであろう。複数のドライブ・トレイン・コンポーネントに亘る制御は、ラジエータ２３３／ファン２３７、およびラジエータ・バイパス・バルブ２３９により達成される。
【００３４】
・ある場合においては、ドライブトレインは未だ低温なのにバッテリは既に推奨動作温度にあるかもしれない。並列運転は、ドライブトレインがヒートアップをまだ行っている間にもバッテリ２４１がこの温度、あるいは望ましい温度範囲に維持されることを可能にする。なお、バルブ２３９を利用してラジエータ２３３をバイパスすることで、ドライブトレインのヒートアップが促進される。
【００３５】
・雰囲気温度によっては、充電中のある場合において、充電器２２９を単独でラジエータ２３３により冷却しながら、バッテリ２４１を独立して温度制御することが望まれる。
【００３６】
本発明の趣旨が、システムの効率を最大にし、および／または、様々な異なるシステムコンポーネント（例えば、モータ、充電器、インバータ、バッテリなど）の何れかの熱的要求、雰囲気温度、輸送機器速度などに応じてドライブトレイン熱サブシステムとバッテリ熱サブシステムを、直列的構成または並列的構成の何れかで運転することでシステムの熱的なパフォーマンスを向上する機能にあることが理解されるであろう。したがって、個々のコンポーネントおよびサブシステムのレイアウトは、本発明から外れることなく典型的な実施形態のそれらから変更できると理解されるべきで、例えば冷却／冷房・冷凍サブシステムの形式、キャビンのＨＶＡＣサブシステムが他のサブシステムに連結される方法、熱交換器の数、循環ポンプ／ラジエータ／ファンの数などの全ては、発明の趣旨から外れることなくシステム２００と異なってもよい。例えばシステム２００の典型的な変更としては、ヒータ２４７が、冷却材ループ２４３の中でバッテリ２４１の直前となるように別の場所に配置される。
【００３７】
図４、５は、それぞれ図２、３に示されるシステムを僅かに変更したものに対応し、具体的には４方弁２４９を一対の３方弁４０１、４０３で置き換えたものである。システム２００および４００は同様の方法で作動され、同一の性能上および効率上の強みを発揮するが、信頼性を向上しつつも部品点数、コスト、システムの複雑さを低減するには、単独での４方弁の使用の方が、２個の３方弁よりも好ましい。なお図５では、ラジエータ・バイパス・バルブ２３９は、図４に示されるラジエータ起動ポジションとは反対のバイパスポジションにあるものとして示される。
【００３８】
当業者によって理解されるように、本発明は、本発明の趣旨あるいは本質から外れることなく他の特定の形態により具体化されてもよい。したがって、ここでの開示内容と説明は例示的なものであり、以下の請求項に記載される本発明の範囲を限定するものではない。
【図１】
2011255879.tif 000002
【図２】
2011255879.tif 000003
【図３】
2011255879.tif 000004
【図４】
2011255879.tif 000005
【図５】
2011255879.tif 000006
【外国語明細書】
2011255879.tif 000007
2011255879.tif 000008
2011255879.tif 000009
2011255879.tif 000010
2011255879.tif 000011
2011255879.tif 000012
2011255879.tif 000013
2011255879.tif 000014
2011255879.tif 000015
2011255879.tif 000016
2011255879.tif 000017
2011255879.tif 000018
2011255879.tif 000019
2011255879.tif 000020
2011255879.tif 000021
2011255879.tif 000022
2011255879.tif 000023
2011255879.tif 000024
2011255879.tif 000025
2011255879.tif 000026
2011255879.tif 000027
2011255879.tif 000028